(57)【要約】【課題】  配線器具の大きさや形状が異なっている２種類の配線器具にも対応できるようにしたボックスカバーを提供する。【解決手段】  配線用ボックス５に取付けられ、配線器具４又は該配線器具４が着取された配線器具取付枠５２を該配線用ボックス５に設置するために使用されるボックスカバー３であり、  中央に、配線器具取付ピッチを隔てて対向する一対の第一取付部１３，１４を有する方形の第一開口部９と、前記第一開口部９の内側に設けられ、前記配線器具取付ピッチよりも間隔の狭い配線器具取付ピッチを隔てて対向する一対の第二取付部２５，２６を備えた第二開口部１０とを備え、  前記第一開口部９の内側には、前記第二開口部１０の内周壁の一部を形成する周壁形成部分が除去可能に形成され、前記第一開口部９は、前記周壁形成部分が除去されることにより形成されることを特徴とするものである。【選択図】    図１
2006304531.tif 000002
【特許請求の範囲】
【請求項１】
配線用ボックスに取付けられ、配線器具又は該配線器具が着取された配線器具取付枠を該配線用ボックスに設置するために使用されるボックスカバーであり、
中央に、配線器具取付ピッチを隔てて対向する一対の第一取付部を有する第一開口部と、前記第一開口部の内側に設けられ、前記配線器具取付ピッチよりも間隔の狭い配線器具取付ピッチを隔てて対向する一対の第二取付部を備えた第二開口部とを備え、
前記第一開口部の内側には、前記第二開口部の内周壁の一部を形成する周壁形成部分が除去可能に形成され、前記第一開口部は、前記周壁形成部分が除去されることにより形成されることを特徴とするボックスカバー。
【請求項２】
前記第二取付部は、前記第一取付部に連設して除去可能に設けられていることを特徴とする請求項１に記載のボックスカバー。
【請求項３】
前記第二取付部は感知器等の取付ピッチで設けられ、該第二取付部を備えた前記第二開口部は円形状に形成されていることを特徴とする請求項１又は請求項２に記載のボックスカバー。
【請求項４】
前記第二開口部はその幅方向において前記第一開口部よりも大きく形成されていることを特徴とする請求項３に記載のボックスカバー。
【請求項５】
前記第二開口部の内側で前記第一開口部の外側にあたる部分は、第一開口部の周壁形成部分によって閉鎖され、該周壁形成部分を除去することにより前記第二開口部が開口することを特徴とする請求項４に記載のボックスカバー。
【請求項６】
前記第一開口部の内側で前記第二開口部の外側にあたる部分は、第二開口部の周壁形成部分により閉鎖されていることを特徴とする請求項１乃至請求項５の何れか１項に記載の記載のボックスカバー。
【発明の詳細な説明】
【技術分野】
【０００１】
本発明は、スイッチ、コンセント、感知器等の配線器具を取付けるための配線用ボックス装置のボックスカバーに関するものである。
【背景技術】
【０００２】
図１１は従来技術による配線用ボックス装置１００を示す。この種の配線用ボックス装置１００は、配線用ボックス１０１と、ボックスカバー１０２とから構成されている。該ボックスカバー１０２には配線器具取付用の開口部１０３が形成され、該開口部１０３には、スイッチ、コンセント，ランプ，ベル，感知器等の配線器具１０４やこれら配線器具１０４が取付枠（図示せず）に保持された状態で取付けられて用いられるものである。
【０００３】
次ぎに、前記配線用ボックス装置１００を設置する手法について説明する。先ず、配線用ボックス１０１を建物内の間柱１０５に取付ネジＮ１によって取り付ける。次に、屋内配線を配線用ボックス１０１の配線挿通孔１０１aから該配線用ボックス１０１内へ導き入れる。次ぎに、該配線用ボックス１０１にボックスカバー１０２を取付ネジＮ１によって取付ける。その後、前記間柱１０５を挟むようにして二つの軽量間仕切壁１０６，１０６を設置する。
【０００４】
その後、一方の軽量間仕切壁１０６の表面側からノコギリ等によって軽量間仕切壁１０６に開口１０６ａを開け、該開口１０６ａから、前記ボックスカバー１０２の開口部１０３を前記軽量間仕切壁１０６の表面側に露出させる。
【０００５】
次ぎに、前述のように、配線用ボックス１０１内へ導き入れられている屋内配線Hの端部をボックスカバー１０２の開口部１０３を挿通した後、前記軽量間仕切壁１０６の開口１０６ａから外部へ引出す。
【０００６】
次ぎに、配線器具１０４の台座１０４aを軽量間仕切壁１０６の表面側から、該軽量間仕切壁１０６の開口１０６ａに接近させて、該台座１０４aを開口１０６ａの周囲に当接させた状態で、該台座１０４aをボックスカバー１０２の開口部１０３の周囲に取付ネジＮ３によって取付ける。次に、前述のように間仕切壁１０６の表面側に引き出されている屋内配線Hの端部を感知器本体１０４bに電気的に接続する。その後、該感知器本体１０４bを前記台座１０４aに嵌め込むようにして、感知器本体１０４bを台座１０４aに取り付ける。その後、軽量間仕切壁１０６の表面側に、化粧板１０７を取付けることにより、配線器具４を配線用ボックス装置２に取付ける作業が完了する。
【０００７】
ところで、前述のように、ボックスカバー１０２に取り付けられる配線器具としては、外形が円形の感知器１０４と、外形が方形状のスイッチやコンセント等がある。このため、外形が円形の感知器１０４や、外形が方形状のスイッチやコンセント等をボックスカバー１０２に取り付けできるように、図１２に示すように、開口部１０３が円形に開口したボックスカバー１０２と、図１３に示すように、開口部１０３が長方形状に開口したボックスカバー１０２とがＪＩＳによって規定されている（特許文献１）。
【特許文献１】JISハンドブック１９電気設備ＩＣ８４３５
【発明の開示】
【発明が解決しようとする課題】
【０００８】
従来技術においては、前述のように、配線器具１０４の形状や寸法に応じて、２種類のボックスカバー１０２を用意しなければならず、２種類のボックスカバー１０２の製造が煩雑であるだけでなく、２種類のボックスカバー１０２の管理が煩雑，面倒であるという問題があった。
【０００９】
そこで、本発明は、前記従来技術の問題点に鑑みてなされたもので、その目的は、配線器具の大きさや形状が異なっている２種類の配線器具にも対応できるようにしたボックスカバーを提供するにある。
【課題を解決するための手段】
【００１０】
請求項１に記載の発明は、配線用ボックスに取付けられ、配線器具又は該配線器具が着取された配線器具取付枠を該配線用ボックスに設置するために使用されるボックスカバーであり、中央に、配線器具取付ピッチを隔てて対向する一対の第一取付部を有する第一開口部と、前記第一開口部の内側に設けられ、前記配線器具取付ピッチよりも間隔の狭い配線器具取付ピッチを隔てて対向する一対の第二取付部を備えた第二開口部とを備え、前記第一開口部の内側には、前記第二開口部の内周壁の一部を形成する周壁形成部分が除去可能に形成され、前記第一開口部は、前記周壁形成部分が除去されることにより形成されることを特徴とするものである。
【００１１】
請求項２に記載の発明は、請求項１に記載のボックスカバーにおいて、前記第二取付部は、前記第一取付部に連設して除去可能に設けられていることを特徴とするものである。
【００１２】
請求項３に記載の発明は、請求項１又は請求項２に記載のボックスカバーにおいて、
前記第二取付部は感知器等の取付ピッチで設けられ、該第二取付部を備えた前記第二開口部は円形状に形成されていることを特徴とするものである。
【００１３】
請求項４に記載の発明は、請求項３に記載のボックスカバーにおいて、前記第二開口部はその幅方向において前記第一開口部よりも大きく形成されていることを特徴とするものである。
【００１４】
請求項５に記載の発明は、請求項４に記載のボックスカバーにおいて、前記第二開口部の内側で前記第一開口部の外側にあたる部分は、第一開口部の周壁形成部分によって閉鎖され、該周壁形成部分を除去することにより前記第二開口部が開口することを特徴とするものである。
【００１５】
請求項６に記載の発明は、請求項１乃至請求項５の何れか１項に記載のボックスカバーにおいて、前記第一開口部の内側で前記第二開口部の外側にあたる部分は、第二開口部の周壁形成部分により閉鎖されていることを特徴とするものである。
【発明の効果】
【００１６】
請求項１に記載の発明によれば、一つのボックスカバーに二種類の開口部を選択的に開口可能であるため、形状の異なる二種類の配線器具を取り付けるための専用のボクスカバーを用意する必要がなく、一つのボックスカバーを用意するだけで形状の異なる二種類の配線器具に対応することができる。又、間仕切壁に配線器具を設けるための開口を穿設する際には、ボックスカバーの周壁形成部分にノコギリを当接させながら該ノコギリを引き回すことにより、ボックスカバーの開口部と同形，同大の開口を間仕切壁に穿設することができる。
【００１７】
請求項２に記載の発明によれば、取付ピッチの広い配線器具を取付ける場合には、第二取付部を除去した後、該配線器具を第一取付部に取付けることができる。
【００１８】
請求項３に記載の発明によれば、第二開口部に設けられた第二取付部によって、感知器を第二開口部の周囲に取り付けることができる。
【００１９】
請求項４に記載の発明によれば、一つのボックスカバーに第一開口部と、該第一開口部よりも広幅の第二開口部を選択的に開口させることができる。
【００２０】
請求項５に記載の発明によれば、第一開口部に配線器具を取り付ける場合、第一開口部と第二開口部との間の隙間は閉塞されているため、当該隙間が存在する場合に比較して見栄えを害さない。又、当該隙間が存在する場合に比較して、当該隙間から配線用ボックス内へ埃等が侵入する虞が少ない。
【００２１】
請求項６に記載の発明によれば、第二開口部に配線器具を取り付ける場合、第一開口部と第二開口部との間の隙間は閉塞されているため、当該隙間が存在する場合に比較して見栄えを害さない。又、当該隙間が存在する場合に比較して、当該隙間から配線用ボックス内へ埃等が侵入する虞が少ない。
【発明を実施するための最良の形態】
【００２２】
図1は一対の軽量間仕切壁１，１（図中、２点鎖線で示す）の間に設けられた配線用ボックス装置２の分解斜視図を示す。当該図１は、該配線用ボックス装置２のボックスカバー３に配線器具４を取付可能に設けた図である。該配線器具４としては、スイッチ，コンセント，ランプ，ベル，感知器等が該当する。図１に示すように、ボックスカバー３は、配線用ボックス５の前面側に取付けられるものである。ボックスカバー３及び配線用ボックス５は樹脂成形することができる。図１中、６は間柱を示し、７は化粧プレートを示す。
【００２３】
図２は前記ボックスカバー３の表面図を示し、図３はボックスカバー３の裏面図を示す。図２，図３に示すように、ボックスカバー３は四角形の板状に形成できる。又、図３に示すように、ボックスカバー３の周囲は厚肉のリム８によって囲まれた構成にすることができる。。
【００２４】
図２，図３に示すように、ボックスカバー３には、第一開口部９と第二開口部１０とが開口可能であるが、これら第一開口部９と第二開口部１０との共通部分は、共通孔Ｋとしてボックスカバー３の中央に予め開口させることができる。
【００２５】
第一開口部９は開口可能な状態であって、未だ、開口していないため、第一開口部９は図２，図３中、１点鎖線で示す。該第一開口部９は、図２，図３中、１点鎖線で示すように、縦方向に長尺の方形状に開口可能である。ここで、方形とは、長方形の他に該長方形の角部が円弧状に曲折することにより、全体として小判型の形状も含むものとする。
【００２６】
又、前述のように、前記第二開口部１０も開口可能な状態であって、未だ開口していないため、第二開口部１０は図２，図３中、２点鎖線で示す。該第二開口部１０は、図２，図３中、２点鎖線で示すように、円形状に開口可能である。同図２，図３に示すように、該第二開口部１０は、前記第一開口部９よりも横方向には広幅であるが、縦方向には狭幅に形成することができる。該第二開口部１０は周囲がリムによって囲まれた形状に形成することができる。
【００２７】
後述のように、前記第一開口部９にはスイッチ，コンセント等のような、外形が略方形状の配線器具が取り付けられるものである。又、前記第二開口部１０には感知器，ランプ，ベル等のように、外形が略円形状の配線器具が取り付けられるものである。該感知器としては、火災報知器，ガス漏れ報知器，熱感知器，煙感知器等が該当する。
【００２８】
図２，図３中、一点鎖線で示すように、前記第一開口部９は、縦方向に互いに対向する一対の短壁１１，１１と、横方向に互いに対向する一対の長壁１２，１２とで囲まれた形状に開口可能になっている。各短壁１１の中央は第一開口部９の中心方向へ突出して、第一取付部１３が形成されている。該第一取付部１３，１３同士は縦方向において互いに対向するように設けられると共に、これら第一取付部１３，１３同士は配線器具４の取付ピッチの間隔で形成されることにより、該第一取付部１３，１３にスイッチ，コンセント等の配線器具４を取り付けできるようになっている。該第一取付部１３は、スイッチ，コンセント等の配線器具４をボックスカバーに取り付けるためのネジ孔によって構成することができる。
【００２９】
又、前記第一取付部１３の内側には、該第一取付部１３に連設して第二取付部１４が設けられている。第二取付部１４，１４同士は縦方向において互いに対向するように設けられると共に、これらの第二取付部１４，１４同士の間隔は、前記第一取付部１３，１３同士の間隔よりも狭い間隔で形成されている。第二取付部１４，１４同士の間隔は、感知器，ランプ，ベル等を取付できる間隔である。該第二取付部１４は前記感知器，ランプ，ベル等をボックスカバー３に取り付けるためのネジ孔によって構成することができる。前記第一取付部１３，１３と第二取付部１４，１４とは縦方向に一直線上に並ぶ位置に設けることができる。
【００３０】
前記共通孔Ｋは、第二開口部１０の周壁形成部分１６、１６と、第一開口部９の周壁形成部分１７、１７とによって囲まれている。該第二開口部１０の周壁形成部分１６，１６は縦方向において互いに対向するように設けられている。該各周壁形成部分１６の内周は円弧状に形成されている。第一開口部９の周壁形成部分１７、１７は横方向において互いに対向するように設けられている。該周壁形成部分１７、１７は内周が直線状に形成されている。そして、前記第一開口部９の内側であって前記第二開口部１０の外側に該当する部分は、第二開口部１０の周壁形成部分１６，１６によって閉鎖されている。各周壁形成部分１６には、前記第二取付部１４が設けられている。又、前記第二開口部１０の内側であって前記第一開口部９の外側に該当する部分は、第一開口部９の周壁形成部分１７，１７によって閉鎖されている。
【００３１】
又、前記第一開口部１０の四隅に相当する部位には、四つの溝部１８，１８，１８，１８が予め形成されている。これら四つの溝部１８，１８，１８，１８はボックスカバー３の表裏面を貫通している。更に、前記周壁形成部分１７，１７には、互いに横方向に対向する位置に、円弧状の溝部１９，１９が形成されている。これら溝部１９，１９は前記第二開口部１０の縁に沿って設けられている。
【００３２】
図２，図３中、点線で示すように、前記各溝部１８の一端部と前記共通孔１５との間は、第一除去可能部２０となり、又、前記溝部１８の他端部同士の間は第二除去可能部２１となっている。該第二除去可能部２１は、前記第一取付部１３と第二取付部１４との間に位置している。図２，図３に示す状態において、これら第一除去可能部２０，第二除去可能部２１を除去して周壁形成部１６を取り除くことにより、図４に示すように、前記共通孔Kが縦方向へ拡張して第一開口部９が開口するものである。当該第一開口部９は、JISハンドブック１９電気設備ＩＣ８４３５を満足させるもので
ある。
【００３３】
又、図２，図３中、点線で示すように、前記溝部１９の両端部からは、第三除去可能部２２が延設されている。該第三除去可能部２２は、第二開口部１０の内周壁に沿って設けられている。図２，図３に示す状態において、第三除去可能部２２を除去して周壁形成部分１７を取り除くことにより、図５に示すように、前記共通孔Kが横方向へ拡張して第二開口部１０が開口するものである。当該第二開口部１０は、JISハンドブック１９電気設備ＩＣ８４３５を満足させるものである。
【００３４】
前記第一除去可能部２０，第二除去可能部２１，第三除去可能部２２において、ボックスカバー３が例えば、薄肉に形成されることにより、前記第一除去可能部２０，第二除去可能部２１，第三除去可能部２２は、ハンマー等による打ち抜き、又は、カッターナイフやノコギリ等による切断によって除去可能になっている。
【００３５】
前記ボックスカバー３の四隅にはネジ挿通孔２３が形成され、図１に示すように、該各ネジ挿通孔２３に挿通される取付ネジ２４によって、ボックスカバー３は配線用ボックス５に取り付けられるものである。
【００３６】
次ぎに、図１に基づき、配線用ボックス５の構成について説明する。図１に示すように、配線用ボックス５は一面が開口した箱状に形成されている。配線用ボックス５の周壁には、配線挿通孔２５が複数個形成されている。該各配線挿通孔２５は、当該配線用ボックス装置２外の屋内配線（図示せず）を配線用ボックス５内へ導き入れるための孔である。該配線挿通孔２５から配線用ボックス５内へ導き入れられた屋内配線は、後述のように、コンセントや感知器等の配線器具４に接続されるものである。
【００３７】
該各配線挿通孔２５はノックアウト部によって閉塞され、該ノックアウト部を必要に応じて打ち抜くことにより、該各配線挿通孔２５は、開口可能になっている。配線用ボックス５の４隅の外面には、ボックス取付部２６が立設されている。各ボックス取付部２６には、ネジ挿通孔２７が形成されている。該各ネジ挿通孔２７に取付ネジ２８を挿通して、該取付ネジ２８を間柱６に螺着することにより、配線用ボックス５は間柱６に固定される。又、配線用ボックス５の４隅の内側にはボス部が設けられ、該各ボス部にはネジ孔２９が形成されている。図1に示すように、該各ネジ孔２９には、前記ボックスカバー３のネジ挿通孔２３を挿通した取付ネジ２４が螺着することにより、ボックスカバー３が配線用ボックス５に取付けできるものである。
【００３８】
次ぎに、作用について説明する。先ず、図1に示すように、配線器具４としての感知器をボックスカバー３に取付ける場合について説明する。この場合、図１に示すように、ボックスカバー３には、第二開口部１０を開口する必要がある。
【００３９】
先ず、図２，図３に示す第三除去部２２を打ち抜き、又は、カッターナイフやノコギリ等によって切断することにより、図５に示すように、第二開口部１０を円形に開口させる。この形状の第二開口部１０がJISハンドブック１９電気設備ＩＣ８４３５を
満足させる。
【００４０】
次ぎに、図１に示すように、配線用ボックス５を間柱６に取付ネジ２８によって固定する。次ぎに、適宜の位置の配線挿通孔２５を閉塞しているノックアウト部を打抜くことにより、配線挿通孔２５を開口させる。次ぎに、このように開口した配線挿通孔２５を挿通して、屋内配線Ｈの端部を配線用ボックス５内へ導き入れる。
【００４１】
その後、図１に示すように、ボックスカバー３を配線用ボックス５の前面に宛がった状態で、該ボックスカバー３を取付ネジ２４によって、配線用ボックス５に取付ける。
【００４２】
次ぎに、二つの軽量間仕切壁１，１を間柱６に取付ける。この状態において、前記配線用ボックス装置２は、二つの軽量間仕切壁１，１の間の空間に位置することになる。
【００４３】
その後、一方の軽量間仕切壁１の表面側から、該軽量間仕切壁１の表面にノコギリを当てて、該軽量間仕切壁１を切削して開口１aを穿設し、該開口１aから、ボックスカバー３の第二開口部１０を軽量間仕切壁１の表面側に露出させるのであるが、この際、ノコギリを第二開口部１０の内周に沿って引き回すように移動させる。つまり、第二開口部１０の内周は、ノコギリを移動させる際のガイドになることによって、軽量間仕切壁１の開口１ａを第二開口部１０と同形、同大に見栄え良く穿孔することができる。
【００４４】
次ぎに、前述のように、配線用ボックス５内へ予め導き入れている屋内配線Ｈの端部を、図１に示すように、軽量間仕切壁１の表面側に引き出す。
【００４５】
次ぎに、配線器具４の台座４aを軽量間仕切壁１の表面側から、該軽量間仕切壁１の開口１ａに接近させて、該配線器具４の台座４aを該開口１ａの周囲に当接させた状態で、該配線器具４の台座４aを取付ネジ３０によってボックスカバー３の第二取付部１４に取付ける。次に、前述のように、間仕切壁１の表面側に引き出されている屋内配線Hの端部を感知器本体４ｂに接続する。その後、該感知器本体４ｂを前記台座４aに嵌め込むようにして、感知器本体４ｂを台座４aに取り付ける。そして、図１に示すように、軽量間仕切壁1の表面に化粧プレート７を取付けることにより、配線器具４を配線用ボックス装置２に取付ける作業が完了する。
【００４６】
次ぎに、図６に示すように、３個の差込口を有するコンセント等のような、外形が縦長の方形状の配線器具４を配線用ボックス装置２に取付ける作業について説明する。尚、同図６に示すように、該配線器具４は配線器具取付枠３１に予め取付けられているとする。この場合、図２，図３に示す状態において、ボックスカバー３の第一除去可能部２０、及び第二除去可能部２１を打ち抜き、又は、カッターナイフやノコギリ等によって切断することにより、図４に示すように、第一開口部９を開口させる。当該第一開口部９が、JISハンドブック１９電気設備ＩＣ８４３５を満足させる。
【００４７】
次ぎに、前述と同様に、図７に示すように、配線用ボックス５を間柱６に取り付け、屋内配線Ｈの端部を配線用ボックス５の配線挿通孔２５から該配線用ボックス５内へ導き入れた後、ボックスカバー３を配線用ボックス５に取付け、その後、二つの軽量間仕切壁1，１を設け、次ぎに、軽量間仕切壁1に開口１ａを穿孔する。該開口１ａを穿孔する場合、第一開口部９の内周壁に沿ってノコギリを引き回すことにより、軽量間仕切壁１に開口１ａを第一開口部９と同形に見栄え良く穿孔する。
【００４８】
その後、前記開口１ａから屋内配線Ｈの端部を引き出して配線器具４に接続した後、該配線器具４の取付枠３１を間仕切壁１の表面に当接させた状態で、該配線器具４を取付ネジ３０によってボックスカバー３の第一取付部１３に取付ける。そして、図７に示すように、軽量間仕切壁1の表面に化粧プレート７を取付けることにより、配線器具４を配線用ボックス装置２に取付ける作業が完了する。
【００４９】
以上説明したように、取付ピッチの異なる２種類の配線器具４を一つのボックスカバー３に取付けできるようにしたため、取付ピッチの異なる２種類の配線器具４にそれぞれ対応した専用のボックスカバーを用意する必要がなく、１種類のボックスカバー３を用意するだけで、取付ピッチの異なる２種類の配線器具４に対応することができる。このため、ボックスカバー３の製造や管理が簡易になる。
【００５０】
尚、以上の実施形態においては、第一開口部９を縦長に形成した場合について説明したが、横長に形成しても良いことは勿論である。
【００５１】
図８は第二実施形態を示す。この第二実施形態の特徴は、図２、図３に示す第一実施形態における周壁形成部分１７，１７が設けられず、第二開口部１０が予め円形に開口している点にある。この第二実施形態のボックスカバー３においては、第一実施形態と比較して、周壁形成部分１７（図２，図３に示す）を除去する作業を必要とすることなく、第二開口部１０直ちに感知器，ランプ，ベル等を取り付けることができる。
【００５２】
図９は第三実施形態を示す。この第三実施形態の特徴は、周壁形成部分１７を第一実施形態に示す位置から第二開口部１０の内周壁に接近させた位置に形成することにより、第一開口部９と周壁形成部分１７との間に隙間Sを設けた点にある。ボックスカバー３をこのように形成した場合、共通孔Ｋと前記隙間Sとから成る孔３２が、第二開口部１０に近い大きさに予め開口しているため、当該孔３２に感知器を直ちに取り付けることができる場合がある。このように、前記孔３２に感知器を直ちに取付できる場合には、第一実施形態のように、周壁形成部分１７を除去する作業を必要とすることなく、感知器をボックスカバー３に取り付けることができる。
【００５３】
ところで、前述の図８に示す第二実施形態においては、同図８中、１点鎖線で示す第一開口部９と、２点鎖線で示す第二開口部１０との間に大きな隙間が開くことになる。当該隙間は、第１開口部９に配線器具４を取り付けた場合、大きく開いたまま存在することになる。このため、当該隙間を目隠しできるように大型の化粧プレートを用意しなければ全体の見栄えを害するだけでなく、当該隙間から配線ボックス５内へ埃等が侵入して配線器具の漏電を招く虞もあった。しかし、この第三実施形態においては、前記隙間は狭いものとなるため、前述のような見栄えを害したり、配線ボックス内への埃等の侵入を防止することができる。
【００５４】
図１０は第四実施形態を示す。この第四実施形態の特徴は、第二開口部１０の形状を略方形とし、しかも、第二開口部１０の横幅を第一開口部９の横幅と略同様にし、且つ、該第二開口部１０の縦の長さを第一開口部９の縦の長さよりも短く形成した点にある。尚、第一除去可能部２０，第二除去可能部２１によって、第一開口部９が開口する点については第一実施形態と同様である。
【００５５】
以上のように構成された第四実施形態においても、２つの形態の第一開口部９，第二開口部１０を開口可能であるため、一つのボックスカバー３によって二種類の形状の配線器具４に対応させることができる。
【図面の簡単な説明】
【００５６】
【図１】配線用ボックス装置を軽量間仕切壁の間に設置し、該配線用ボックス装置に配線器具を取付け、更に、軽量間仕切壁に化粧パネルを取付ける状態の分解斜視図である。
【図２】ボックスカバーの表面図である。
【図３】ボックスカバーの裏面図である。
【図４】ボックスカバーに第一開口部を開口した状態のボックスカバーの表面図である。
【図５】ボックスカバーに第二開口部を開口した状態のボックスカバーの表面図である。
【図６】配線器具に配線器具取付枠を取り付けた状態の正面図である。
【図７】図６に示す状態の配線器具を配線ボックス用装置に取付ける状態の分解斜視図である。
【図８】ボックスカバーの正面図である。（第二実施形態）
【図９】ボックスカバーの正面図である。（第三実施形態）
【図１０】ボックスカバーの正面図である。（第四実施形態）
【図１１】配線用ボックス装置を軽量間仕切壁の間に設置し、該配線用ボックス装置に配線器具を取付け、更に、軽量間仕切壁に化粧パネルを取付ける状態の分解斜視図である。（従来技術）
【図１２】ボックスカバーの正面図である。（従来技術）
【図１３】ボックスカバーの正面図である。（従来技術）
【符号の説明】
【００５７】
１  軽量間仕切壁
２  配線用ボックス装置
３  ボックスカバー
４  感知器
５  配線用ボックス
９  第一開口部
１０  第二開口部
１３  第一取付部
１４  第二取付部
１６  周壁形成部分
１７  周壁形成部分
２０  第一除去可能部
２１  第二除去可能部
２２  第三除去可能部
【図１】
2006304531.tif 000003
【図２】
2006304531.tif 000004
【図３】
2006304531.tif 000005
【図４】
2006304531.tif 000006
【図５】
2006304531.tif 000007
【図６】
2006304531.tif 000008
【図７】
2006304531.tif 000009
【図８】
2006304531.tif 000010
【図９】
2006304531.tif 000011
【図１０】
2006304531.tif 000012
【図１１】
2006304531.tif 000013
【図１２】
2006304531.tif 000014
【図１３】
2006304531.tif 000015